(57)【要約】【課題】スキャニング照射法による粒子線照射システムにおいて、計画通りの線量分布を形成することができ、かつ照射時間（治療時間）を短縮することができる粒子線照射システムおよび治療計画装置を提供する。【解決手段】治療計画装置４１の演算装置１０１が照射位置毎に出射許可範囲を定め、スキャニング照射法による粒子線照射システムの制御装置４８が、治療計画装置４１の演算装置１０１が定めた照射位置毎の出射許可範囲を用いて、出射許可範囲の大きさを照射位置毎に変更して照射する。【選択図】図１
2014057738.tif 000002
【特許請求の範囲】
【請求項１】
荷電粒子ビームを生成して出射する加速器と、
前記荷電粒子ビームを走査する走査電磁石を有し、前記荷電粒子ビームを照射標的に照射する照射装置と、
前記照射標的の位置を計測する標的監視装置と、
前記標的監視装置からの信号に基づき前記照射装置から照射される荷電粒子ビームの照射開始と照射停止を制御するゲート照射を行う制御装置とを備え、
前記制御装置は、前記照射標的に前記荷電粒子ビームを照射するための複数の照射位置に対して、照射位置毎に出射許可範囲が設定されており、
前記制御装置は、前記複数の照射位置のうちの１つの照射位置に前記荷電粒子ビームを照射するとき、前記照射位置毎に設定した出射許可範囲を用い、前記標的監視装置が計算した前記照射標的の位置が前記１つの照射位置に設定された出射許可範囲の中にあるときは前記荷電粒子ビームの照射を開始し、前記照射標的の位置が前記１つの照射位置に設定された出射許可範囲の外にあるときは前記荷電粒子ビームの照射を停止するよう制御することを特徴とする粒子線照射システム。
【請求項２】
前記制御装置は、前記照射位置が前記照射標的に設定した標的領域の境界面から内側と外側に一定の距離の範囲内の領域にあるかどうかに応じて前記出射許可範囲が異なる値に設定されており、前記異なる値に設定された出射許可範囲を用いて前記照射装置から照射される荷電粒子ビームの照射開始と照射停止を制御することを特徴とする請求項１に記載の粒子線照射システム。
【請求項３】
前記制御装置は、前記照射位置が前記照射標的に設定した標的領域の境界面から内側と外側に一定の距離の範囲内にありかつ前記荷電粒子ビームの入射方向の反対側の領域にあるかどうかに応じて前記出射許可範囲が異なる値に設定されており、前記異なる値に設定された出射許可範囲を用いて前記照射装置から照射される荷電粒子ビームの照射開始と照射停止を制御することを特徴とする請求項１に記載の粒子線照射システム。
【請求項４】
前記制御装置は、前記照射標的の近くに線量の付与を抑える低線量領域が定められている場合に、前記照射位置が前記低線量領域の境界面から外側へ一定の距離の範囲内の領域にあるかどうかに応じて前記出射許可範囲が異なる値に設定されており、前記異なる値に設定された出射許可範囲を用いて前記照射装置から照射される荷電粒子ビームの照射開始と照射停止を制御することを特徴とする請求項１に記載の粒子線照射システム。
【請求項５】
前記制御装置は、前記複数の照射位置が前記出射許可範囲の大きさ毎に分類してグループ化され、前記グループ毎に前記出射許可範囲が設定されており、前記グループ毎に設定された出射許可範囲に基づいて前記荷電粒子ビームの照射開始と照射停止を制御することを特徴とする請求項１に記載の粒子線照射システム。
【請求項６】
前記照射装置は回転可能なガントリーに設置されており、
前記制御装置は、前記照射位置毎に設定された出射許可範囲が、前記ガントリーとともに回転する直交座標系に基づき定義された直方体と回転楕円体のいずれかとなるように設定されており、前記直方体と回転楕円体のいずれかに設定された出射許可範囲を用いて前記照射装置から照射される荷電粒子ビームの照射開始と照射停止を制御することを特徴とする請求項１に記載の粒子線照射システム。
【請求項７】
照射標的に設定した複数の照射位置のそれぞれに対して、前記照射標的が出射許可範囲内にあるとき荷電粒子ビームを照射するゲート照射を行う粒子線照射システムに用いる治療計画装置において、
前記複数の照射位置に対して照射位置毎に前記出射許可範囲を設定する演算装置を備えることを特徴とする治療計画装置。
【請求項８】
前記演算装置は、前記照射標的に設定した標的領域の境界面から内側と外側に一定の距離の範囲内に第１領域を設定し、前記照射位置が前記第１領域にある場合とそれ以外の領域にある場合とで前記出射許可範囲を異なる値に設定することを特徴とする請求項７記載の治療計画装置。
【請求項９】
前記演算装置は、前記照射標的に設定した標的領域の境界面から内側と外側に一定の距離の範囲内にありかつ前記荷電粒子ビームの入射方向の反対側に第２領域を設定し、前記照射位置が前記第２領域にある場合とそれ以外の領域にある場合とで前記出射許可範囲を異なる値に設定することを特徴とする請求項７記載の治療計画装置。
【請求項１０】
前記演算装置は、前記照射標的の近くに線量の付与を抑える低線量領域が定められており、前記低線量領域の境界面から外側へ一定の距離の範囲内に第３領域を設定し、前記照射位置が前記第３領域ある場合とそれ以外の領域にある場合とで前記出射許可範囲を異なる値に設定することを特徴とする請求項７に記載の治療計画装置。
【請求項１１】
前記演算装置は、前記複数の照射位置を前記出射許可範囲の大きさ毎に分類してグループ化し、前記グループ毎に前記出射許可範囲を設定し、かつ前記照射位置のグループ毎にまとめて照射するよう照射順序を決定することを特徴とする請求項７に記載の治療計画装置。
【請求項１２】
前記粒子線照射システムは、回転可能なガントリーに設置された照射装置を備え、
前記演算装置は、前記照射位置毎に設定された出射許可範囲を、前記ガントリーとともに回転する直交座標系における直方体と回転楕円体のいずれかとなるように設定することを特徴とする請求項７に記載の治療計画装置。
【発明の詳細な説明】
【技術分野】
【０００１】
本発明は、粒子線照射システムおよび治療計画装置に係わり、特に、スキャニング照射法を用いる粒子線照射システムおよび治療計画装置に関する。
【背景技術】
【０００２】
癌などの患者に対する治療法として荷電粒子ビーム（粒子線）を患部に照射する方法が知られている。荷電粒子ビームを照射する粒子線照射システムは荷電粒子発生装置とビーム輸送系と治療室を備えている。スキャニング照射法を用いる粒子線照射システムでは、荷電粒子ビーム発生装置で加速された荷電粒子ビームはビーム輸送系を経て治療室の照射装置に達し、照射装置の走査電磁石により走査され、患者の体内で患部形状に適した線量分布を形成する。
【０００３】
ところで、患部などの照射標的が呼吸などで移動すると、予め計画した線量分布を形成することが難しくなる。そこで計画通りの線量分布を形成する方法として、特許文献１はゲート照射と呼ばれる方法を開示している。ゲート照射は、標的が予め決めた位置（出射許可範囲）にある場合に粒子線を照射する方法である。
【先行技術文献】
【特許文献】
【０００４】
【特許文献１】特開2010-253250号公報
【発明の概要】
【発明が解決しようとする課題】
【０００５】
特許文献１に記載のようなゲート照射では、計画通りの線量分布を形成するためには出射許可範囲を小さくする必要がある。出射許可範囲を小さくするほど出射できる時間は短くなり、照射時間（治療時間）が長くなるという課題がある。
【０００６】
本発明の目的は、スキャニング照射法による粒子線照射システムにおいて、計画通りの線量分布を形成することができ、かつ従来のゲート照射に比べて照射時間（治療時間）を短縮することができる粒子線照射システムおよび治療計画装置を提供することである。
【課題を解決するための手段】
【０００７】
上記課題を解決するため、本発明では、治療計画装置において、演算装置が照射位置毎に出射許可範囲を定め、スキャニング照射法による粒子線照射システムにおいて、制御装置が、前記治療計画装置の演算装置により定めた照射位置毎の出射許可範囲を用いて、出射許可範囲の大きさを照射位置毎に変更して照射する。
【発明の効果】
【０００８】
本発明によれば、計画通りの線量分布を形成することができ、かつ従来のゲート照射に比べて照射時間（治療時間）を短縮することができる。
【図面の簡単な説明】
【０００９】
【図１】本発明の一実施例である粒子線照射システムと治療計画装置を備えた粒子線治療システムの全体概略構成を示す図である。
【図２】本発明の一実施例である粒子線照射システムに備えられる照射制御装置の構成を示すブロック図面である。
【図３】照射対象に粒子線を照射した場合に得られる深さ方向の線量分布を示す図である。
【図４】照射対象に粒子線を照射した場合に得られる横方向の線量分布を示す図である。
【図５】本発明の一実施例であるデータベースに記憶される照射パラメータを示す概念図である。
【図６】本発明の一実施例である治療計画装置が出射許可範囲を決定する方法を示す図である。
【図７】本発明の一実施例である粒子線照射システムが粒子線を照射する手順を示したフローチャートである。
【図８】照射位置毎に定められた出射許可範囲に従いゲート照射を実施する場合の出射を許可するタイミングを示すタイムチャートである。
【図９】治療計画装置の構成を示す図である。
【図１０】治療計画装置が行う処理手順を示したフローチャートである。
【発明を実施するための形態】
【００１０】
以下、本発明の一実施例である、照射位置毎に出射許可範囲を定める治療計画装置とその出射許可範囲に従いゲート照射を実施する粒子線照射システムとを備えた粒子線治療システムについて説明する。
【００１１】
本発明の一実施例である粒子線照射システムと治療計画装置を備えた粒子線治療システムの全体概略構成を示す図である。
【００１２】
本実施例の粒子線照射システムは、荷電粒子ビーム発生装置１，ビーム輸送系２，治療室１７および制御システム７を備える。粒子線治療システムは、その粒子線照射システムと、治療計画装置４１およびＸ線ＣＴ装置４０を備えている。
【００１３】
粒子線照射システムにおいて、荷電粒子ビーム発生装置１は、イオン源，前段荷電粒子ビーム加速装置であるライナック３および加速器であるシンクロトロン４を有する。シンクロトロン４は、高周波印加装置５，加速装置６を有する。高周波印加装置５はシンクロトロン４の周回軌道に配置された高周波印加電極８および高周波印加電源９を備える。高周波印加電極８と高周波印加電源９はスイッチにより接続される。加速装置６は粒子線（荷電粒子ビーム）の周回軌道に配置された高周波加速空洞および高周波加速空洞に高周波電力を印加する高周波電源を備える。出射用デフレクタ１１がシンクロトロン４とビーム輸送系２を接続する。
【００１４】
ビーム輸送系２は、ビーム経路１２，四極電磁石，偏向電磁石１３，１４，１５，１６を有する。ビーム経路１２は、治療室１７内に設置された照射装置２１に接続される。
【００１５】
治療室１７内に略筒状のガントリー１８が設置されている。ガントリー１８には、ビーム輸送系２の一部である偏向電磁石１５，１６、照射標的２６に荷電粒子ビーム（イオンビーム）を照射する照射装置２１、Ｘ線発生装置３５，３６、Ｘ線検出器３７，３８が設置されている。ガントリー１８の内部には照射対象（患者）２５を設置するために、カウチ２４と呼ばれる治療用ベッドが設置される。
【００１６】
ガントリー１８は、モーターにより回転可能な構造をしている。ガントリー１８の回転と共に偏向電磁石１５，１６と照射装置２１、Ｘ線発生装置３５，３６、およびＸ線検出器３７，３８が回転する。このガントリー１８の回転および各機器がこの動きに連動することにより、照射対象２５に対してガントリー１８の回転軸に垂直な平面内のいずれの方向からも粒子線を照射することができる。
【００１７】
ガントリー１８に備えられた照射装置２１は、走査電磁石３１，走査電磁石３２，位置モニタ３４，線量モニタ３３を内部に有する。本実施例の粒子線照射システムは、照射装置２１が二台の走査電磁石３１，３２を備え、ビーム進行方向と垂直な面内の二つの方向（Ｘ方向，Ｙ方向）にそれぞれ粒子線を偏向し、照射位置を変更する。位置モニタ３４は、粒子線の位置と粒子線の広がりを計測する。線量モニタ３３は、照射された粒子線の量を計測する。
【００１８】
第一のＸ線発生装置３５と第二のＸ線発生装置３６は、ガントリー１８に設置されており、透視用のＸ線を発生させる。照射装置２１の照射口先端部には、フラットパネル型の第一のＸ線検出器３７と第二のＸ線検出器３８が設置されている。Ｘ線検出器３７はＸ線発生装置３５からのＸ線の信号を検出し、Ｘ線検出器３８はＸ線発生装置３６からのＸ線の信号を検出する。
【００１９】
照射対象２５内には照射標的２６があり、粒子線を照射することで照射標的２６を覆うような線量分布を照射対象２５内に形成する。ここで癌などの治療の場合は、照射対象２５は人であり照射標的２６は腫瘍である。ここで照射標的２６を腫瘍とすることは一例であって、潜在的に腫瘍細胞の存在が予測される領域を照射標的とすることがあってもよい。
【００２０】
本実施例の粒子線照射システムが備えている制御システム７について、図１を用いて説明する。制御システム７は、記憶装置であるデータベース４２，中央制御装置４６，加速器制御装置４７、照射制御装置４８および動体追跡装置４９を備える。データベース４２はＸ線ＣＴ装置４０に接続された治療計画装置４１に接続されている。治療計画装置４１が作成する照射に必要なデータはデータベース４２に記録される。中央制御装置４６は、加速器制御装置４７、照射制御装置４８、および動体追跡装置４９に接続される。また、中央制御装置４６は、データベース４２に接続される。中央制御装置４６は、データベース４２からデータを受け取り、加速器制御装置４７、照射制御装置４８、および動体追跡装置４９に必要な情報を送信し制御する。加速器制御装置４７は、荷電粒子ビーム発生装置１、ビーム輸送系２およびガントリー１８に接続され、これらを制御する。照射制御装置４８は、走査電磁石３１，３２を励磁する走査電磁石電源の制御と照射装置２１内の各モニタからの信号を処理する。動体追跡装置４９はＸ線発生装置３５，３６、Ｘ線検出器３７，３８に接続され、これらを制御する。Ｘ線発生装置３５，３６、Ｘ線検出器３７，３８、動体追跡装置４９は照射標的２６の位置を計測する標的監視装置を構成する。
【００２１】
図２を用いて照射制御装置４８の詳細を説明する。照射制御装置４８は照射装置２１内の位置モニタ３４、線量モニタ３３および走査電磁石３１，３２を励磁する走査電磁石電源５１に接続しており、これらを制御する。また、動体追跡装置４９および加速器制御装置４７と接続しており、これらの機器と通信する。照射制御装置４８は位置メモリ４８ａ、線量メモリ４８ｂ、照射制御回路４８ｃおよび位置監視回路４８ｄを備えている。走査電磁石電源５１は励磁電流メモリ５１ａおよび電磁石制御回路５１ｂを備えている。動体追跡装置４９は出射許可範囲メモリ４９ａおよび画像処理回路４９ｂを備えている。
【００２２】
図３を用いて本実施例による粒子線照射システムにおける照射対象２５の表面を基準とした場合の照射標的２６の深さと粒子線のエネルギーとの関係について説明する。図３は、横軸が照射標的２６の深さ、縦軸が粒子線のエネルギーを示す図である。
【００２３】
図３（ａ）は、単一エネルギーの粒子線が照射対象内に形成する線量分布を深さの関数として示している。図３（ａ）におけるピークをブラッグピークと称する。ブラッグピークの位置は粒子線のエネルギーに依存する。そのため、粒子線のエネルギーを調整することでブラッグピークの位置を調整でき、照射標的２６の所望の深さに適切な線量の粒子線を照射することができる。照射標的２６は深さ方向に厚みを持っているが、ブラッグピークは鋭いピークであるので、図３（ｂ）に表すようにいくつかのエネルギーの粒子線を適切な強度の割合で照射し、ブラッグピークを重ね合わせることで深さ方向に照射標的２６と同じ厚みを持った一様な高線量領域（ＳＯＢＰ）を形成する。
【００２４】
図４を用いて、ビーム軸に垂直な方向（ＸＹ平面の方向）の照射標的２６の横方向の広がりと粒子線の関係について説明する。図４は、横軸に照射標的２６の横方向の広がりを、縦軸は照射スポットにおける線量を示す。ビーム軸に垂直な方向を横方向と呼ぶ。粒子線は照射装置２１に達した後、互いに垂直に設置された二台の走査電磁石３１，３２を通過することで横方向の所望の位置へと到達する。粒子線の横方向の広がりはガウス分布形状で近似することができる。ガウス分布を等間隔で配置し、その間の距離をガウス分布の標準偏差程度にすることで、足し合わされた分布は一様な領域を有する。このように配置されるガウス分布状の線量分布をスポットと呼ぶ。粒子線を走査し複数のスポットを等間隔に配置することで横方向に一様な線量分布を形成することができる。ここで、粒子線の横方向の広がりをガウス分布形状で近似することは、一例であり、粒子線の横方向の広がりがガウス分布形状以外の形状で近似されてもよい。
【００２５】
以上により、走査電磁石３１，３２による横方向へのビーム走査と、ビームエネルギー変更による深さ方向へのブラッグピークの移動により均一な照射野を形成することができる。なお、同一のエネルギーで照射され、走査電磁石３１，３２による粒子線の走査により横方向へ広がりを持つ照射野の単位をスライスと呼ぶ。
【００２６】
以下に、照射位置毎に出射許可範囲を決定し、照射位置毎に定められた出射許可範囲に従いゲート照射を行う本発明のスキャニング照射法を実施するシステム構成の一実施例を詳しく説明する。
【００２７】
＜治療計画＞
まず、治療計画装置４１の構成を、図９を用いて説明する。
【００２８】
治療計画装置４１は、治療計画演算装置１０１、Ｘ線ＣＴ画像やＭＲ画像および線量分布を表示するモニタ１０２、キーボードやマウス等の入力装置１０３から構成される。治療計画演算装置１０１は、治療計画を立案するための画像データおよび線量分布データの蓄積、線量計算演算の実施を司る部分であり、通信装置１０８、記憶装置１１０、主記憶装置１１１、治療計画演算処理装置１０９から構成される。通信装置１０８はネットワークを通してデータベース４２、中央制御装置４６、Ｘ線ＣＴ装置４０等の他の装置とのデータ交換等に使用する。また、記憶装置１１０はたとえば磁気記憶装置であり一般に大容量の記憶装置である。長期的なデータおよびプログラムの保存に用いる。主記憶装置１１１は、たとえばランダムアクセスメモリであり、高速なアクセスが可能であるため、主に一時的なデータの保持および、実行中プログラムの保持に使用する。治療計画演算処理装置１０９は、治療計画演算装置１０１の記憶装置１１０や主記憶装置１１１に保管されているプログラムを実行し、数値的演算やデータ処理、通信等のプログラムに記述されている手続を実行する装置である。
【００２９】
治療計画装置４１は、医師等のオペレータの指示に基づき、主記憶装置１１１に記憶装置１１０からロードされたプログラムモジュールを治療計画演算処理装置１０９が実行することにより、事前に取得済みの照射計画用ＣＴ画像データを用いて照射標的に線量分布を形成するためのパラメータを決定する。さらにそのパラメータを用いた場合の照射標的への線量分布を計算し、モニタ１０２上にその結果である線量分布を表示する。
【００３０】
以下の説明では、説明の簡略化のため治療計画装置４１が処理を行うものとして説明するが、具体的には、オペレータが入力装置１０３を用いて必要なデータを入力し、治療計画演算装置１０１の演算処理装置１０９がその入力データに基づいて所定の演算処理を行い、その演算結果をモニタ１０２上に表示し、その表示内容に基づいて更にデータを入力するなどの手順を経て、処理手順が進行するものである。
【００３１】
図１０は、治療計画装置４１が行う処理手順を示すフローチャートである。
【００３２】
治療計画装置４１の処理は下記の順序に従い実施される。
【００３３】
１．ＣＴ画像の読み込みと領域の指定（ステップＳ３０１）
２．照射に必要なパラメータの決定（ステップＳ３０２）
３．スポットの照射順序決定（ステップＳ３０３）。
【００３４】
以下、順番に説明する。
【００３５】
１．ＣＴ画像の読み込みと領域の指定（ステップＳ３０１）
予め照射対象２５をＸ線ＣＴ装置４０にて撮影する。Ｘ線ＣＴ装置４０は照射標的（患部）２６が周期的に動くときその動きの位相毎にＣＴ画像を作成する機能を備える。特に照射対象２５である患者を撮影する場合、呼吸位相毎のＣＴ画像を取得できる。Ｘ線ＣＴ装置４０は照射対象を撮影し、n個の位相に対する照射対象２５のＣＴ画像を作成する。Ｘ線ＣＴ装置４０は作成したＣＴ画像を治療計画装置４１に送信する。治療計画装置４１は、受け取った画像データを表示装置の画面上に表示する。オペレータは位相毎のＣＴ画像から基準となる位相のＣＴ画像を選択する。例えば呼吸による患部の移動を考える場合、通常呼気位相を選択する。なお、位相毎のＣＴ画像を全て作成するＸ線ＣＴ装置の変わりに特定の位相のＣＴ画像のみを作成する同期型Ｘ線ＣＴ装置を用いてもよい。また、通常のＸ線ＣＴ装置を使用して息止めした状態で撮像したＣＴ画像を使用してもよい。オペレータが選択したＣＴ画像上でオペレータは照射標的２６を覆うように、照射標的２６にマージンを付与して照射したい標的領域(ROI-T)を指定する。また、線量を低く抑えたい低線量領域(例えば放射線感受性が高い臓器)(ROI-R)が存在する場合は、ROI-Rを必要に応じて指定する。次いで、ROI-Tに付与する線量と、ROI-Rに付与可能な線量値の上限を指定する。治療計画装置４１はオペレータが指定したROI-TとROI-R、ROI-Tに付与する線量とROI-Rに付与可能な線量値の上限を例えば主記憶装置１１１に記憶することで、領域の設定を完了する。図６は、治療計画装置４１がROI-TとROI-Rを用いて出射許可範囲を決定する方法を示す図であり、ROI-TとROI-Rがそれぞれ符号８２，８３で示されている。図６は、上側から陽子線８１を照射する様子を示している。また、図６において、符号８４，８５，８６はそれぞれ標的領域辺縁部、飛程終端部、低線量領域周辺部であり、出射許可範囲の設定時に必要となる（後述）。
【００３６】
２．照射に必要なパラメータの決定（ステップＳ３０２）
次に治療計画装置４１は、照射に必要なパラメータの決定を実施する。照射に必要なパラメータは、照射パラメータ、ガントリー角度および照射対象位置情報である。図５に照射パラメータの構造を示す。照射パラメータはスライス数NとN個のスライスデータにより構成される。スライスは、同一のエネルギーで照射するスポットの集合を表す。スライスデータはスライス番号i、エネルギーEi、スポット数NiおよびNi個のスポットデータを含む。スポットデータはスポット番号j、照射位置（Ｘｉｊ，Ｙｉｊ）、目標照射量Ｄｉｊ、出射許可範囲Pijを含む。
【００３７】
治療計画装置４１は、ROI-Rの線量値を上限以下の出来るだけ小さな値にすると同時にROI-Tに線量分布を形成できるような照射対象（患者）２５の設置位置、ガントリー角度、照射パラメータを求めて決定する。すなわち、治療計画装置４１は、オペレータが入力したROI-TとROI-Rの情報に基づいて照射対象設置位置とガントリー照射角度を決定後、照射対象設置位置に照射対象を設置したとき、Ｘ線検出器３６、３７に投影される画像を計算し、その画像を照射対象位置情報とする。この照射対象位置情報は照射対象（患者）の治療のための粒子線照射時に、照射対象の位置決めに用いられる。また、治療計画装置は、照射標的（患部）２６を深さ方向の複数のスライスに分割し、必要となるスライス数Ｎを決定する。治療計画装置４１はそれぞれのスライス（スライス番号ｉ）の深さに応じた照射に適したイオンビームのエネルギーＥｉを求める。治療計画装置４１は、さらに、各スライスの形状に応じてイオンビームを照射する照射スポットの数Ｎｉ，スポット番号ｊ，各スポットの照射位置（Ｘｉｊ，Ｙｉｊ），各スポットの目標照射量Ｄｉｊを決定する。
【００３８】
出射許可範囲Pijは下記の通り決定する。
【００３９】
まず、治療計画装置４１は、指定されたROI-T８２およびROI-R８３と決定されたガントリー角度を用いて標的領域辺縁部８４、飛程終端部８５、低線量領域周辺部８６を設定する。標的領域辺縁部８４はROI-T８２の境界部分であって、ROI-T８２の境界面から内側と外側に一定の距離以下の領域とする。この領域をROI-Aと呼ぶ。飛程終端部８５はROI-T８２の境界面から内側と外側に一定の距離以下かつ陽子線８１が入射する方向の反対側の領域とする。この領域をROI-Bと呼ぶ。低線量領域周辺部８６はROI-R８３の境界面から外側に一定の距離以下の領域とする。この領域をROI-Cと呼ぶ。なお、ROI-A、ROI-B、ROI-Cを決定した境界面からの距離は同一でもよいし、それぞれ異なる距離でもよい。ROI-Tのうち、ROI-A、ROI-B、ROI-Cのどれにも属さない領域をROI-Dとする。本願明細書で「照射標的に粒子線（荷電粒子ビーム」を照射標的に照射するとは、照射標的２６の内側だけでなく、その辺縁部の領域であるROI-A、ROI-Bを含めて照射することを意味する。
【００４０】
次に治療計画装置４１は、ROI-A、ROI-B、ROI-C、ROI-Dに許容される出射許可範囲の大きさを指定する。例えばROI-Aに対する出射許可範囲の大きさをxAmax、xAmin、yAmax、yAmin、zAmax、zAminとする。これらの値はオペレータが予め入力して設定する値である。ROI-B、ROI-C、ROI-Dに対しても同様に定める。
【００４１】
最後に、それぞれのスポットに対しPijを定める。Pijは、深さ方向（ビーム軸方向）に関し、スポットのブラッグピークの位置が属する領域に従う。例えば、オペレータが選んだ基準となる位相のＣＴ画像上において照射標的（患部）２６が（x0,y0,z0）の座標にあり、スポットのブラッグピークの位置がROI-Aにあるとき、Pijはxmin=x0-xAmin, xmax=x0+xAmaxとする。yとzについても同様である。複数の領域が重なる場所にブラッグピークが位置するスポットでは、許容値が小さい方を選択する。なお、ROI-A、ROI-B、ROI-Cの許容値はROI-Dに対する許容値より小さい。照射標的（患部）２６の座標（x0,y0,z0）は照射標的２６の重心位置の座標である。
【００４２】
なお、ここでは（x0,y0,z0）を照射標的（患部）２６の座標としたが、これはＸ線透視により直接標的の位置を計測する場合についてである。照射標的２６の移動を別の方法で計測する場合、例えば金属マーカーを刺入する場合、（x0,y0,z0）はマーカーの座標である。また、体表の位置を用いてゲート照射する場合、体表の一次元の運動に従うためx、y、zの3次元ではなく1次元で定義される。
【００４３】
このようにROI-A、ROI-B、ROI-C、ROI-Dのそれぞれに対して許容される出射許可範囲の大きさ（許容値）を指定し、これら値を用いて出射許可範囲Pijを定めることにより得られる効果は下記の通りである。
【００４４】
ROI-Aの許容値を小さくすることにより線量分布辺縁部にて標的の移動により線量分布がぼやける効果を抑止できるため、線量分布のペナンブラを急峻にすることができる。また、ROI-Bの許容値を小さくすることにより、深部のスポットは線量分布への寄与が大きいため、線量一様度を向上させることができる。また、ROI-Cの許容値を小さくすることにより、低線量領域の周辺で線量がぼやけず照射したくない領域への線量を最小化することができる。以上により計画通りの線量分布を形成することができる。
【００４５】
ここで、出射許可範囲Pijを定義する座標系について説明する。
【００４６】
例えば、Pijはガントリー１８と共に回転する座標系を用いて、X方向、Y方向、およびビーム軸方向（Z方向）の最大値と最小値で定義される直方体とすると、ブラッグカーブを形成する方向(Z方向)、概ガウス分布状の線量分布を形成する方向(X方向、Y方向)各々に分けてPijを設定できる。ひとつのスポットが形成する線量分布形状はビーム軸方向とビーム軸に垂直な方向とで異なり、その形状が急峻なほどスポットの位置が線量分布形状に与える影響が大きい。通常、ブラッグカーブを形成する方向のほうが、概ガウス分布状の線量分布を形成する方向より急峻な線量分布形状である。ガントリー１８と共に回転する座標系を用いることにより、線量分布形状に与える影響の大きさを考慮してPijを決定することができる。また、治療室に固定された座標系を用いると、ガントリー１８の回転角によらず、標的内での位置を固定できる。
【００４７】
なお、出射許可範囲Pijは直方体として説明したが出射許可範囲は回転楕円体であってもよい。回転楕円体の場合、照射標的２６の座標(x,y,z)が
((x-x0)/a)^2+((y-y0)/b)^2+((z-z0)/c)^2  ＜r^2
を満たすとき出射を許可する。a,b,c,rはオペレータが指定するパラメータである。直方体で定義されたPijは、(x0,y0,z0)から直方体の頂点へ向かう方向は緩く、(x0,y0,z0)から直方体の面の中心へ向かう方向は厳しい出射許可範囲である。面の中心へ向かう方向は必要以上に厳しい条件を課されていることになるが、回転楕円体を出射許可範囲とすることで解消され、一様な線量分布を確保しつつ照射時間をより短縮することができる。
【００４８】
３．スポットの照射順序決定（ステップＳ３０３）
最後にスポットの照射順序を決定する。粒子線照射システムはここで作成された照射パラメータの順序に従って照射を実施する。通常、スポットの照射順序は、照射位置の近いものから順番に並べられる。図５はそのように照射順序を決定した場合を示している。
【００４９】
出射許可範囲の大きさ毎にスポットを分類してグループ化し、グループ毎に出射許可範囲を設定し、かつスポットのグループ毎にまとめて照射するよう照射順序を決定することで、出射許可範囲の大きさの変更を最小化させることもできる。照射順序は出射許可範囲の大きさを優先して決めた順番であってもよいし、エネルギー変更を優先して決めた順番であってもよい。また、ひとつの加速器の周期に対しひとつのグループの照射を割り当ててもよい。
【００５０】
例えば、同一エネルギーで照射するスポットを出射許可範囲の大きさ毎にグループ化する方法がある。エネルギーE1でROI-Aに照射されるスポットの集合を(E1,A)と表すと、(E1,A)、(E1,B)、(E1,C)、・・・、(E2,A)、(E2,B)、(E2,C)、・・・という順番で照射することができる。また、全エネルギーで照射するスポットを出射許可範囲毎に照射する方法がある。例えば、(E1,A)、(E2,A)、(E3,A)、・・・、(E1,B)、(E2,B)、(E2,B)、・・・という順番で照射することができる。このように出射許可範囲を変更する回数を少なくすることで容易な制御が可能になる。また、このようにすることで出射許可範囲メモリ４９ａに記録するデータをスポット毎からグループ毎にでき、制御を簡略化することができる。
【００５１】
なお、ここで示した制御は、一例であり、本実施例に係る粒子線治療システムでは、照射パラメータ以外のパラメータによって決定される順序に従って照射が実施されてもよい。
【００５２】
また、本実施例では、治療計画装置４１で照射位置（スポット）のグループ化と照射順序の決定を行ったが、治療計画装置４１から照射パラメータを送信した後、照射順序の決定のみ或いは照射位置（スポット）のグループ化と照射順序の決定の両方を照射制御装置４８で行ってもよい。
【００５３】
ステップＳ３０２およびＳ３０３で作成される照射パラメータおよびスポットの照射順序のデータはガントリー角度の数だけ作成される。作成された照射パラメータおよび照射順序のデータと、ガントリー角度および照射対象位置情報はデータベース４２へ送信されデータベース４２に記録される。ここで、照射対象位置情報が記録されるデータベースは、本実施例のデータベース４２のように粒子線治療システムに含まれていてもよいし、粒子線治療システムの外部に接続されたコンピュータに保存されていてもよい。
【００５４】
治療計画装置４１は、決定した各値により照射対象を照射したときの線量分布を求め、求めた線量分布をモニタ１０２に表示する。
【００５５】
＜照射手順＞
以上の手順により作成した照射パラメータ、照射対象設置情報およびガントリー角度を使用して照射対象２５に線量分布を形成する手順を説明する。
【００５６】
オペレータが中央制御装置４６に接続されたコンソール上の照射準備開始ボタンを押すと、中央制御装置４６はデータベース４２から照射対象２５の設置位置、ガントリー角度および照射パラメータを受信する。中央制御装置４６は、照射パラメータに記載されたエネルギーの情報とガントリー角度を加速器制御装置４７に送信し、照射パラメータを照射制御装置４８に送信する。加速器制御装置４７では中央制御装置４６から指定されたエネルギーの荷電粒子ビームを出射するための各電磁石の励磁パターンを準備する。照射制御装置４８は中央制御装置４６から受信した照射パラメータを各メモリに設定する。照射位置を位置メモリ４８ａに、目標照射量を線量メモリ４８ｂに、出射許可範囲を動体追跡装置の出射許可範囲メモリ４９ａに記録する。また、照射位置とエネルギーから求めた励磁電流値を走査電磁石電源５１の励磁電流メモリ５１ａに記録する。
【００５７】
照射対象２５をカウチ２４の上に乗せ、カウチ２４上に固定する。固定後、計画した位置に設置されていることを確認するため、Ｘ線管３５，３６とＸ線検出器３７，３８を用いて透視する。透視した画像と照射対象位置情報の画像とを比較し、計画位置からのずれ量を算出する。そのずれ量に従い、カウチ２４を移動して照射対象２５の位置を調整する。
【００５８】
照射対象２５をカウチ２４に設置した後、ガントリー１８の角度を設定する。オペレータが中央制御装置４６に接続されたコンソール上のガントリー回転ボタンを押すと、加速器制御装置４７はガントリー１８を照射パラメータに記載されたガントリー角度までガントリー１８を回転させる。
【００５９】
ガントリー１８の回転完了後、オペレータはコンソール上の照射開始ボタンを押す。照射開始ボタンが押されると図７に示す手順に従って照射が開始される。以下の例は、照射位置の近いものから順番にスポットの照射順序を決定した場合のものである。
【００６０】
＜ステップＳ２０１＞
ステップＳ２０１においてエネルギー番号i=１、スポット番号j=１のスポットから照射を開始する。動体追跡装置４９はＸ線発生装置３５，３６とＸ線検出器３７，３８を制御して照射標的２６の位置の計測を開始する。加速器制御装置４７はシンクロトロン４を制御してエネルギー番号i=１のエネルギーE1に粒子線を加速する。動体追跡装置４９はＸ線発生装置３５，３６を制御して一定の間隔(例えば30Hz)でＸ線を発生させる。画像処理回路４９ｂはＸ線検出器３７，３８から取得した画像を用いて照射標的２６の位置（標的座標）を算出する。なお、照射標的２６の位置を特定し易くするため、予め照射標的２６の付近に金属製の球などのマーカーを刺入しておき、照射標的２６の位置を計測する代わりにマーカーの位置を計測してもよい。ここで、照射標的２６の付近に刺入されるマーカーは、金属以外でつくられたものでもよい。また、照射標的２６の付近に刺入されるマーカーは、球以外の形状をしていてもよく、照射標的内部に刺入されていてもよい。また、複数のマーカーの位置を計測して照射標的２６の位置を算出してもよい。
【００６１】
＜ステップＳ２０２＞
ステップＳ２０２において中央制御装置４６から加速器制御装置４７へ加速信号が送信される。加速器制御装置４７はイオン源、ライナック３、シンクロトロン４を制御して粒子線を加速する。イオン源において発生した粒子線はライナック３により加速されシンクロトロン４へ入射される。入射された粒子線は加速装置６から高周波を印加され第一のスライス番号を照射するためのエネルギーE1まで加速される。粒子線の加速が完了すると加速器制御装置４７から照射制御装置４８へ加速完了信号が送信される。
【００６２】
＜ステップＳ２０３＞
ステップＳ２０２において加速完了信号を受信した照射制御装置４８は、ステップＳ２０３においてスポットの照射準備を実施する。照射制御装置４８内の照射制御回路４８ｃが加速完了信号を受信する。照射制御回路４８ｃは画像処理回路４９ｂと電磁石制御回路５１ｂへスポット設定信号を送信する。
画像処理回路４９ｂは、スポット設定信号を受信し、出射許可範囲メモリ４９ａからi=1,j=1のスポットの出射許可範囲P11を読み出す。画像処理回路４９ｂは、Ｘ線検出器３７，３８から取得した画像を用いて算出した照射標的２６の位置と出射許可範囲P11を比較する。標的座標が出射許可範囲P11の中にあれば、標的座標が出射許可範囲の外に出るまで出射許可信号を照射制御回路４８ｃに送信し続ける。
【００６３】
電磁石制御回路５１ｂは、励磁電流メモリ５１ａに記録されたi=1,j=1のスポットに対応する励磁電流値を読み出し、走査電磁石電源５１を制御して走査電磁石３１，３２を読み出した励磁電流値で励磁する。電磁石制御回路５１ｂは、走査電磁石電源５１の電流値の設定が完了すると照射制御装置４８の照射制御回路４８ｃに電磁石設定完了信号を送信する。なお、これらの電流値の設定はX軸に対応する走査電磁石３２とY軸に対応する走査電磁石３１の両方に対して実施される。
【００６４】
照射制御回路４８ｃは、電磁石設定完了信号を受信したとき出射許可信号を受信していれば加速器制御装置４７に対し出射開始信号を送信する。照射制御回路４８ｃは、電磁石設定完了信号を受信したとき、出射許可信号を受信していない場合、出射許可信号を受信するのを待ち、出射許可信号を受信すると加速器制御装置４７に対し出射開始信号を送信する。
【００６５】
＜ステップＳ２０４＞
ステップＳ２０４において出射開始信号を受信した加速器制御装置４７は高周波印加装置５を制御して粒子線に高周波を印加する。高周波を印加された粒子線は出射用デフレクタ１を通過し、ビーム経路１２を通過して治療室１７内の照射装置２１に達する。粒子線は照射装置２１内の走査電磁石３１，３２により走査され、位置モニタ３４および線量モニタ３３を通過して照射対象２５内に到達し照射標的２６に線量を付与する。照射標的２６に到達した粒子線の量は線量モニタ３３で検出され、照射制御回路４８ｃでカウントされる。照射制御回路４８ｃは線量モニタ３３からの信号のカウントと線量メモリ４８ｂの値を比較し、カウントが線量メモリ４８ｂに記録されている目標照射量に達すると加速器制御装置４７に対し出射停止信号を出力する。出射停止信号を受信した加速器制御装置４７は高周波印加装置５を制御して高周波の印加を停止し、出射を停止する。また、照射制御回路４８ｃは位置監視回路４８ｄへスポット完了信号を送信する。位置監視回路４８ｄは位置メモリ４８ａに記録されている照射位置と位置モニタ３４により検出した位置との差を算出し、差が閾値以下になっていることを確認する。
【００６６】
＜ステップＳ２０５＞
ステップＳ２０５において、同一スライスのスポットに照射が完了していないスポットがある場合、すなわちスポット番号jがj  ＜Niの場合、j+1番目のスポットを照射するためステップＳ２０３に戻る。同一スライスのスポットを全て照射した場合、すなわちj=Niの場合、ステップＳ２０６に進む。
【００６７】
＜ステップＳ２０６＞
ステップＳ２０６において、中央制御装置４６から加速器制御装置４７に減速信号を送信する。減速信号を受信した加速器制御装置４７は粒子線を減速させ、ライナック３から新たな粒子線を入射できる状態になる。
【００６８】
＜ステップＳ２０７＞
ステップＳ２０７において照射が完了していないレイヤーがある場合、すなわちi  ＜Nのとき、i+1番目のレイヤーを照射するためステップＳ２０２に進む。全てのレイヤーの照射が完了した場合、すなわちi=Nの場合、ステップＳ２０８に進み、照射完了となる。
【００６９】
なお、同一エネルギーで照射するスポットを出射許可範囲の大きさ毎にグループ化した場合は、ステップＳ２０５で、同一グループ内のスポットに照射が完了していないスポットがあるかどうかを判定し、照射が完了していないスポットがある場合は、ステップＳ２０３で同一グループ内の次のスポットの照射準備をすればよい。また、同一グループ内のスポットを全て照射した場合は、照射が完了していないグループがあるかどうかを判定し、照射が完了していないグループがある場合は、そのグループ内のスポットの照射準備をし、全てのグループのスポットを照射した場合に、ステップＳ２０６に進めばよい。全エネルギーで照射するスポットを出射許可範囲毎に照射する場合も同様である。ただし、この場合は、ステップＳ２０７が不要となる。
【００７０】
以上の手順により実施される制御について図８を用いて説明する。図８(ａ)は従来の出射許可範囲が一定の場合を表す。図８(ｂ)が本発明の出射許可範囲が可変である場合を表す。照射標的２６の位置を表す移動信号が出射許可範囲の中にある場合、出射許可信号を出力する出射許可状態となる。図８(ａ)において出射許可範囲は一定であるが、図８(ｂ)において出射許可範囲はスポット毎に変更されるためＳ１〜Ｓ６に示すように一定ではない。また、図８(ａ)より図８(ｂ)のほうが出射許可範囲が大きく、出射許可状態が長いことがわかる。
【００７１】
＜他の実施例＞
（１）本実施例ではスポット毎に粒子線の出射を停止するスポットスキャニングを例に説明したが、粒子線の出射を停止しないラスタースキャニングおよびラインスキャニングにも適用することができる。
【００７２】
（２）本実施例では、画像処理回路４９ｂがＸ線検出器３７，３８から取得した画像を用いて標的座標を算出し、その標的座標と出射許可範囲を比較して出射許可信号を生成している。画像処理回路４９ｂはデータ処理時間による遅延を考慮して標的の位置を予測し、予測した標的座標と出射許可範囲を比較して出射許可信号を生成してもよい。このようにして標的の位置を予測することにより、制御システムの処理時間による出射許可タイミングの遅れを回避することができる。また、上記のように標的の位置を予測することでＸ線撮影周期より短い周期で出射許可タイミングを制御することができる。また、データ処理時間による遅延以外の遅延を考慮して、画像処理回路４９ｂにより標的の位置の予測が実行されてもよい。
【００７３】
（３）本実施例では照射標的２６の位置を照射中に計測する方法について説明したが、照射対象表面の信号に基づいてゲート制御を実施してもよい。
【００７４】
（４）上記照射標的２６の位置を特定する方法として患部の内部または周辺に金属製のマーカーを刺入する方法がある。マーカーは体表面に置いてもよい。マーカーはＸ線透視画像に写り易いため精度よく照射標的２６の位置を計測することができる。また、マーカーなしで直接照射標的２６の位置を計測してもよいし、照射標的の位置確認のために、ポジトロン断層(ＰＥＴ)画像を用いてもよい。このことにより、マーカーを刺入する手間を省くことができる。また、患部の位置を特定する方法は電磁波を生成するコイルであってもよい。また、照射対象表面の信号から照射標的２６の位置を特定してもよい。
【００７５】
（５）本実施例では、加速器はシンクロトロン４を例に説明したがサイクロトロンでもよい。サイクロトロンの場合、出射はサイクロトロンから輸送系へ向けてビームが出ることを表す。
【００７６】
（６）本実施例では360度回転するガントリー１８を例に説明したが、本発明は180度回転するガントリー１８、或いはガントリー１８がない粒子線照射装置に対しても同様に実施することができる。
【００７７】
＜効果＞
最後に、本実施例により得られる効果について整理する。本実施例によれば次の効果が得られる。
【００７８】
標的の辺縁部に対し出射許可範囲を小さくすることによりペナンブラを急峻にすることができる。また、標的の飛程終端部に対し出射許可範囲を小さくすることにより線量一様度を向上させることができる。また、低線量領域の周辺に対し出射許可範囲を小さくすることにより低線量領域への線量を小さくすることができる。以上により計画通りの線量分布を形成することができる。また、上記以外の領域に対し出射許可範囲を大きくすることにより、照射時間（治療時間）を短くすることができる。
【００７９】
体内の標的位置、又は標的近傍に刺入されたマーカー位置を計測する方法は、間接的に標的の位置を計測する体表位置の計測より高精度にゲート照射ができる。従って体内を計測する方法では出射許可範囲の設定をより小さくすることが可能である。出射許可範囲が小さいほど出射許可範囲の大きさが照射時間に影響するため、本発明は出射許可範囲がより小さい体内を計測する場合において特に有効である。
【符号の説明】
【００８０】
１  荷電粒子ビーム発生装置
２  ビーム輸送系
３  ライナック
４  シンクロトロン
５  高周波印加装置
６  加速装置
７  制御システム（制御装置）
１１  出射用デフレクタ
１２  ビーム経路
１３，１４，１５，１６  偏向電磁石
１７  治療室
２１  照射装置
２４  カウチ
２５  照射対象
２６  照射標的
３１，３２  走査電磁石
３３  線量モニタ
３４  位置モニタ
３５，３６  Ｘ線発生装置（標的監視装置）
３７，３８  Ｘ線検出器（標的監視装置）
４０  Ｘ線ＣＴ装置
４１  治療計画装置
４２  データベース
４６  中央制御装置
４７  加速器制御装置
４８  照射制御装置
４９  動体追跡装置（標的監視装置）
５１  電磁石電源
８１  陽子線
８２  標的領域
８３  低線量領域
８４  標的領域辺縁部
８５  飛程終端部
８６  低線量領域周辺部
１０１  治療計画演算装置
１０２  モニタ
１０３  入力装置
１０９  治療計画演算処理装置
【図１】
2014057738.tif 000003
【図２】
2014057738.tif 000004
【図３】
2014057738.tif 000005
【図４】
2014057738.tif 000006
【図５】
2014057738.tif 000007
【図６】
2014057738.tif 000008
【図７】
2014057738.tif 000009
【図８】
2014057738.tif 000010
【図９】
2014057738.tif 000011
【図１０】
2014057738.tif 000012